(57)【要約】【課題】  切換用のスイッチが破損し接点が非導通となっても、信号が停波しないようにする。【解決手段】  ２極双投スイッチ１０の第１接点ｂ１と第３接点ｂ２とは短絡されてスルー回路１３が構成されている。また、第２接点ｃ１と第４接点ｃ２との間にはアッテネータ回路やイコライザ回路を構成している受動回路１２が接続されている。さらに、第１コモン接点ａ１と第２コモン接点ａ２との間に受動回路１２の一部を構成している受動素子１４が接続されている。２極双投スイッチ１０が破損して接点が非導通となっても、受動素子１４を経由して信号は入力ＩＮから出力ＯＵＴに伝送される。【選択図】  図１
2007027929.tif 000002
【特許請求の範囲】
【請求項１】
第１接点と第２接点のいずれかに切り換えられる第１コモン接点と、第３接点と第４接点のいずれかに前記第１コモン接点に連動して切り換えられる第２コモン接点とを有する２極双投スイッチと、
前記第１接点と、前記第１コモン接点が前記第１接点に切り換えられた際に前記第２コモン接点が連動して切り換えられる前記第３接点との間に接続されている受動回路と、
前記第２接点と前記第４接点との間を短絡するよう接続しているスルー回路と、
前記第１コモン接点と前記第２コモン接点間に接続された前記受動回路の一部を構成している受動素子と、
を備えることを特徴とする切換回路。
【請求項２】
第１接点と第２接点のいずれかに切り換えられる第１コモン接点と、第３接点と第４接点のいずれかに前記第１コモン接点に連動して切り換えられる第２コモン接点とを有する２極双投スイッチと、
前記第１接点と、前記第１コモン接点が前記第１接点に切り換えられた際に前記第２コモン接点が連動して切り換えられる前記第３接点との間に接続されているアッテネータ回路と、
前記第２接点と前記第４接点との間を短絡するよう接続しているスルー回路と、
前記第１コモン接点と前記第２コモン接点間に接続された前記アッテネータ回路の一部を構成している抵抗素子と、
を備えることを特徴とするアッテネータ。
【請求項３】
第１接点と第２接点のいずれかに切り換えられる第１コモン接点と、第３接点と第４接点のいずれかに前記第１コモン接点に連動して切り換えられる第２コモン接点とを有する２極双投スイッチと、
前記第１コモン接点と前記第２コモン接点間に接続された第１抵抗素子と、
前記第１接点とアースとの間に接続されている第２抵抗素子と、
前記第１コモン接点が前記第１接点に切り換えられた際に前記第２コモン接点が連動して切り換えられる前記第３接点とアースとの間に接続されている第３抵抗素子と、
前記第２接点と前記第４接点との間を短絡するよう接続しているスルー回路とを備え、
前記第１抵抗素子と、前記第２抵抗素子と、前記第３抵抗素子とでアッテネータ回路が構成されることを特徴とするアッテネータ。
【発明の詳細な説明】
【技術分野】
【０００１】
本発明は、信号の特性を操作する受動回路とスルー回路とを切り換える切換回路に関する。
【背景技術】
【０００２】
従来のアッテネータ（ＡＴＴ）やイコライザ（ＥＱ）等においては２極双投スイッチを用いてスルー回路とアッテネータ回路やイコライザ回路等とを切り換えていた。
従来のＡＴＴの一例を図７に示す。図７に示すＡＴＴ１００は、入力端子ＩＮに接続される第１コモン接点ａ１と、出力端子ＯＵＴに接続される第２コモン接点ａ２とを有する２極双投スイッチ１１０が備えられている。２極双投スイッチ１１０の第１接点ｂ１と第３接点ｂ２とは短絡されてスルー回路１１２が構成されている。また、２極双投スイッチ１１０の第２接点ｃ１と第４接点ｃ２との間にはアッテネータ回路が接続されている。アッテネータ回路はπ型のアッテネータ回路とされており、第２接点ｃ１と第４接点ｃ２との間に接続された第２抵抗Ｒ２と、第２接点ｃ１とアース間に接続された第１抵抗Ｒ１と、第４接点ｃ２とアース間に接続された第３抵抗Ｒ３とから構成されている。ここで、２極双投スイッチ１１０の接触子１１１を操作して図７に示すように切り換えると、入力端子ＩＮと出力端子ＯＵＴとの間にアッテネータ回路が挿入されて入力端子ＩＮから入力された信号がアッテネータ回路で減衰されて出力端子ＯＵＴから出力される。また、２極双投スイッチ１１０の接触子１１１を操作して図７の状態とは逆方向に切り換えると、入力端子ＩＮと出力端子ＯＵＴとの間にスルー回路１１２が挿入されて入力端子ＩＮから入力された信号は減衰されることなく出力端子ＯＵＴから出力されるようになる。
【発明の開示】
【発明が解決しようとする課題】
【０００３】
従来のＡＴＴはＴＶブースタなどに組み込まれて用いられるが、指定以外の乱暴な操作を接触子１１１に対して行うなど、何らかの事故により２極双投スイッチ１１０が破損し接点が非導通となる場合がある。この場合のＡＴＴ８の状態を示す回路図を図８に示す。この図に示すように、２極双投スイッチ１１０が破損し接点が非導通となると第１コモン接点ａ１および第２コモン接点ａ２が開放された状態となるため、入力端子ＩＮに入力されたＴＶ信号が出力端子ＯＵＴに全く伝送されずＴＶ信号が停波するようになる。ＴＶ信号が停波すると、ブースタに後続して共聴していた世帯全てでＴＶが見られなくなり機器交換をするまでの間、緊急情報も含めてＴＶによる情報ライフラインが絶たれてしまうという問題点があった。
【０００４】
そこで、本発明は切換用のスイッチが破損し接点が非導通となっても、信号が停波することのない切換回路およびアッテネータを提供することを目的としている。
【課題を解決するための手段】
【０００５】
上記目的を達成するために、本発明の切換回路およびアッテネータは、２極双投スイッチの第１コモン接点と第２コモン接点との間に受動素子を接続することを最も主要な特徴としている。
【発明の効果】
【０００６】
本発明によれば、２極双投スイッチの第１コモン接点と第２コモン接点との間に受動素子を接続したことから、接点が非道通となっても第１コモン接点と第２コモン接点との間に接続された受動素子を経由して信号は伝送され続けるようになるため、受動素子で信号は減衰されたとしても完全に停波することを防止することができる。
【発明を実施するための最良の形態】
【０００７】
本発明の実施例の切換回路の回路構成を図１に示す。
図１に示す切換回路１は、２極双投スイッチを用いてスルー回路とアッテネータ回路やイコライザ回路等とを切り換える切換回路１とされる。切換回路１は、入力端子ＩＮが接続される第１コモン接点ａ１と、出力端子ＯＵＴが接続される第２コモン接点ａ２とを有する２極双投スイッチ１０が備えられている。２極双投スイッチ１０の第１接点ｂ１と第３接点ｂ２とは短絡されてスルー回路１３が構成されている。また、２極双投スイッチ１０の第２接点ｃ１と第４接点ｃ２との間にはアッテネータ回路やイコライザ回路を構成している受動回路１２が接続されている。さらに、第１コモン接点ａ１と第２コモン接点ａ２との間に受動回路１２の一部を構成している受動素子１４が接続されている。ここで、２極双投スイッチ１０の接触子１１を操作して図１に示すように第１コモン接点ａ１と第２コモン接点ａ２とを連動して切り換えると、入力端子ＩＮと出力端子ＯＵＴとの間に受動回路１２が挿入されて入力端子ＩＮから入力された信号が受動回路１２で減衰されたり周波数特性が調整されて出力端子ＯＵＴから出力される。また、２極双投スイッチ１０の接触子１１を操作して図１の状態とは逆方向になるよう第１コモン接点ａ１と第２コモン接点ａ２とを連動して切り換えると、入力端子ＩＮと出力端子ＯＵＴとの間にスルー回路１３が挿入されて入力端子ＩＮから入力された信号はそのまま出力端子ＯＵＴから出力されるようになる。
【０００８】
図１に示す切換回路１はＴＶブースタなどに組み込まれて信号が受動回路１２で減衰されたり周波数特性が調整されるが、何らかの事故により２極双投スイッチ１０が破損し接点が非導通となる場合がある。この場合の切換回路１の状態を示す回路図を図２に示す。図２に示すように、２極双投スイッチ１０が破損し接点が非導通となると第１コモン接点ａ１および第２コモン接点ａ２が開放された状態となるが、第１コモン接点ａ１と第２コモン接点ａ２との間に受動回路１２の一部を構成している受動素子１４が接続されているため、入力端子ＩＮに入力された信号が受動素子１４を経由して出力端子ＯＵＴから出力されるようになる。これにより、２極双投スイッチ１０が故障しても信号は受動素子１４で減衰されることがあるものの信号は伝送され続けるようになるため、信号の停波を防止することができるようになる。なお、受動素子１４は、受動回路１２を構成している抵抗、コンデンサ、インダクタンス等の受動素子とされる。
【０００９】
次に、切換回路１をアッテネータに適用した本発明の実施例のアッテネータ（ＡＴＴ）２の回路構成を図３に示す。
図３に示すＡＴＴ２は、２極双投スイッチ２０を用いてスルー回路とアッテネータ回路とを切り換えるＡＴＴ２とされる。ＡＴＴ２は、入力端子ＩＮが接続される第１コモン接点ａ１と、出力端子ＯＵＴが接続される第２コモン接点ａ２とを有する２極双投スイッチ２０が備えられている。２極双投スイッチ２０の第１接点ｂ１と第３接点ｂ２とは短絡されてスルー回路２３が構成されている。また、２極双投スイッチ２０の第２接点ｃ１と第４接点ｃ２との間には第１抵抗Ｒ１ないし第３抵抗Ｒ３からなるアッテネータ回路が接続されている。さらに、第１コモン接点ａ１と第２コモン接点ａ２との間にアッテネータ回路の一部を構成している第４抵抗Ｒ４が接続されている。図示するように、アッテネータ回路はπ型のアッテネータ回路とされており、第２接点ｃ１と第４接点ｃ２との間に接続された第２抵抗Ｒ２と、第２接点ｃ１とアース間に接続された第１抵抗Ｒ１と、第４接点ｃ２とアース間に接続された第３抵抗Ｒ３と、第１コモン接点ａ１と第２コモン接点ａ２との間に接続された第２抵抗Ｒ２に並列接続される第４抵抗Ｒ４とから構成されている。ここで、２極双投スイッチ２０の接触子１１を操作して図３に示すように第１コモン接点ａ１と第２コモン接点ａ２とを連動して切り換えると、入力端子ＩＮと出力端子ＯＵＴとの間に上述したアッテネータ回路が挿入されて入力端子ＩＮから入力された信号がアッテネータ回路により所要の減衰量だけ減衰されて出力端子ＯＵＴから出力される。また、２極双投スイッチ２０の接触子２１を操作して図３の状態とは逆方向になるよう第１コモン接点ａ１と第２コモン接点ａ２とを連動して切り換えると、入力端子ＩＮと出力端子ＯＵＴとの間にスルー回路２３が挿入されて入力端子ＩＮから入力された信号はそのまま出力端子ＯＵＴから出力されるようになる。
【００１０】
図３に示すＡＴＴ２はＴＶブースタなどに組み込まれて信号がＡＴＴ２で減衰されたりスルーされて出力されるが、何らかの事故により２極双投スイッチ２０が破損し接点が非導通となる場合がある。この場合のＡＴＴ２の状態を示す回路図を図４に示す。図４に示すように、第１コモン接点ａ１および第２コモン接点ａ２が開放された状態となるが、第１コモン接点ａ１と第２コモン接点ａ２との間にアッテネータ回路の一部を構成している第４抵抗Ｒ４が接続されているため、入力端子ＩＮに入力された信号が第４抵抗Ｒ４を経由して出力端子ＯＵＴから出力されるようになる。これにより、２極双投スイッチ２０が故障しても信号は第４抵抗Ｒ４で減衰されるものの信号は伝送され続けるため、信号の停波を防止することができるようになる。
【００１１】
次に、切換回路１をアッテネータに適用した本発明の他の実施例のアッテネータ（ＡＴＴ）３の回路構成を図５に示す。
図５に示すＡＴＴ３は、２極双投スイッチ３０を用いてスルー回路とアッテネータ回路とを切り換えるＡＴＴ３とされる。ＡＴＴ３は、入力端子ＩＮが接続される第１コモン接点ａ１と、出力端子ＯＵＴが接続される第２コモン接点ａ２とを有する２極双投スイッチ３０が備えられている。２極双投スイッチ３０の第１接点ｂ１と第３接点ｂ２とは短絡されてスルー回路３３が構成されている。また、２極双投スイッチ３０の第２接点ｃ１とアース間には第１抵抗Ｒ１が接続され、第４接点ｃ２とアース間には第３抵抗Ｒ３が接続されている。さらに、第１コモン接点ａ１と第２コモン接点ａ２との間にアッテネータ回路の一部を構成している第２抵抗Ｒ２が接続されている。このように、アッテネータ回路はπ型のアッテネータ回路とされており、第２接点ｃ１とアース間に接続された第１抵抗Ｒ１と、第４接点ｃ２とアース間に接続された第３抵抗Ｒ３と、第１コモン接点ａ１と第２コモン接点ａ２との間に接続された第２抵抗Ｒ２とから構成されている。ここで、２極双投スイッチ３０の接触子３１を操作して図５に示すように第１コモン接点ａ１と第２コモン接点ａ２とを連動して切り換えると、入力端子ＩＮと出力端子ＯＵＴとの間に上述したアッテネータ回路が挿入されて入力端子ＩＮから入力された信号がアッテネータ回路により所要の減衰量だけ減衰されて出力端子ＯＵＴから出力される。また、２極双投スイッチ３０の接触子３１を操作して図５の状態とは逆方向になるよう第１コモン接点ａ１と第２コモン接点ａ２とを連動して切り換えると、入力端子ＩＮと出力端子ＯＵＴとの間にスルー回路３３が挿入されて入力端子ＩＮから入力された信号はそのまま出力端子ＯＵＴから出力されるようになる。
【００１２】
図５に示すＡＴＴ３はＴＶブースタなどに組み込まれて信号がＡＴＴ３で減衰されたりスルーされて出力されるが、何らかの事故により２極双投スイッチ３０が破損し接点が非導通となる場合がある。この場合のＡＴＴ３の状態を示す回路図を図６に示す。図６に示すように、第１コモン接点ａ１および第２コモン接点ａ２が開放された状態となるが、第１コモン接点ａ１と第２コモン接点ａ２との間にアッテネータ回路の一部を構成している第２抵抗Ｒ２が接続されているため、入力端子ＩＮに入力された信号が第２抵抗Ｒ２を経由して出力端子ＯＵＴから出力されるようになる。これにより、２極双投スイッチ３０が故障しても信号は第２抵抗Ｒ２で減衰されるものの信号は伝送され続けるため、信号の停波を防止することができるようになる。
【産業上の利用可能性】
【００１３】
以上の説明では、受動回路をアッテネータ回路に適用したが、本発明はこれに限ることはなくイコライザ回路、フィルタ回路等に適用することができる。また、第１コモン接点ａ１および第２コモン接点ａ２間に接続される受動素子は、抵抗に限るものではなく適用される回路を構成するコンデンサ、インダクタンス等とすることができる。
【図面の簡単な説明】
【００１４】
【図１】本発明の実施例の切換回路の回路構成を示す図である。
【図２】本発明の実施例の切換回路において、２極双投スイッチが破損し接点が非導通となった場合の状態を示す図である。
【図３】本発明の実施例のアッテネータ（ＡＴＴ）の回路構成を示す図である。
【図４】本発明の実施例のアッテネータ（ＡＴＴ）において、２極双投スイッチが破損し接点が非導通となった場合の状態を示す図である。
【図５】本発明の他の実施例のアッテネータ（ＡＴＴ）の回路構成を示す図である。
【図６】本発明の他の実施例のアッテネータ（ＡＴＴ）において、２極双投スイッチが破損し接点が非導通となった場合の状態を示す図である。
【図７】従来のアッテネータの回路構成を示す図である。
【図８】従来のアッテネータにおいて、２極双投スイッチが破損し接点が非導通となった場合の状態を示す図である。
【符号の説明】
【００１５】
１  切換回路、２  ＡＴＴ、３  ＡＴＴ、１０  ２極双投スイッチ、１１  接触子、１２  受動回路、１３  スルー回路、１４  受動素子、２０  ２極双投スイッチ、２１  接触子、２３  スルー回路、３０  ２極双投スイッチ、３１  接触子、３３  スルー回路、１１０  ２極双投スイッチ、１１１  接触子、１１２  スルー回路、ＩＮ  入力端子、ＯＵＴ  出力端子
【図１】
2007027929.tif 000003
【図２】
2007027929.tif 000004
【図３】
2007027929.tif 000005
【図４】
2007027929.tif 000006
【図５】
2007027929.tif 000007
【図６】
2007027929.tif 000008
【図７】
2007027929.tif 000009
【図８】
2007027929.tif 000010